【事件の表示】
　特願２００１−５７４３３５「印刷済みパッケージ又は類似基材の処理装置」拒絶査定不服審判事件〔平成１３年１０月１８日国際公開、ＷＯ０１／７６８３４、平成１５年１０月１４日国内公表、特表２００３−５３０２３１〕について、次のとおり審決する。
【結　論】
　本件審判の請求は、成り立たない。
【理　由】
　第１　手続の経緯
　この出願は、平成１３年３月２日（パリ条約による優先権主張外国庁受理平成１２年４月８日、ドイツ）を国際出願日とする特許出願であって、同１８年３月３１日付で拒絶の理由が通知され、同１８年１０月４日に意見書及び手続補正書が提出されたが、同１８年１０月２７日付で拒絶をすべき旨の査定がされ、これに対し、同１９年１月２９日に本件審判の請求がされるとともに手続補正（以下「本件補正」という。）がされたものである。
　
第２　本件補正についての補正の却下の決定
［補正の却下の決定の結論］
　本件補正を却下する。
　
［理由］
１　補正の内容の概要
　本件補正は、特許請求の範囲について補正をするものであって、補正前後いずれも、請求項１が独立項で、他の請求項はすべて請求項１の従属項である。
　請求項１の記載は、以下のとおりである。
　
(１)　補正前の請求項１
「回転打ち抜き加工を用いて、印刷済みカードボード、カードボード、パッケージ、段ボール、紙、類似物などの基材を打ち抜くことによって、不用な屑部分と印刷済みの有用部とを作り出すための装置であって、
　回転式の第１加工ローラと、
　第１加工ローラと協働して第１加工ローラとの間に加工ギャップを形成する回転式の第２加工ローラと、
　加工ギャップの中に送られる方向に基材が挿入されるときに基材を加工するために、第１加工ローラ及び第２加工ローラの少なくとも一方に配設され、第１加工ローラ及び第２加工ローラの少なくとも一方と協同して加工ギャップ内の基材を打ち抜くことにより基材から有用部と屑部分を作り出す工具部と、
　第１加工ローラ及び第２加工ローラの少なくとも一方に配設され、印刷済みシートとしての基材をレジスタ制御式に搬送する少なくとも１つのグリッパであって、印刷済みの画像と後続の前記工具部による形状処理をレジスタ制御式に且つ精度良く重ね合わせられる該グリッパと、
　加工ギャップの端部に配置され、有用部を屑部分から分断・分離する分断・分離手段であって、パンチ済みのシート状基材としてパンチ済み製品又は中間のパンチ済み製品があり、少なくとも未パンチ基材、パンチ済みの有用部から分離された前記有用部、前記屑部分、又は前記中間のパンチ済み製品である基材を搬送することとを任意に含む、前記分断・分離手段と、
　屑部分搬送手段と協同して屑部分を収集する廃棄装置と、
　を含むことを特徴とする装置。」
　
(２)　補正後の請求項１
「回転打ち抜き加工を用いて、印刷済みカードボード、カードボード、パッケージ、段ボール、紙、及び類似するシート状の基材を打ち抜くことによって、不要な屑部分と仕上がった部分とを作り出すための装置であって、
　回転式の第１加工ローラと、
　第１加工ローラと協働して第１加工ローラとの間に加工ギャップを形成する回転式の第２加工ローラと、
　加工ギャップの中に送られる方向に基材が挿入されるときに基材を加工するために、第１加工ローラ及び第２加工ローラの少なくとも一方に配設される工具部と、
　第１加工ローラ及び第２加工ローラの少なくとも一方に配設され、印刷済みシートとしての基材をレジスタ制御式に搬送する少なくとも１つのグリッパと、
　加工ギャップの端部に配置され、仕上がった部分を屑部分から分断・分離する分断・分離手段であって、吸引空気及び加圧空気の少なくとも一方を用いて且つ前記少なくとも１つのグリッパを用いて、前記屑部分及び前記仕上がった部分を保持すると共に加工ギャップから引き離す分断・分離手段と、
　を含むことを特徴とする装置。」
　
２　補正の適否　　　
　補正について検討すると、補正前の請求項１には、「屑部分搬送手段と協同して屑部分を収集する廃棄装置」が記載されているが、補正後の請求項１では、かかる事項が削除されている。
　請求人は、この点について「本願発明の特徴を明確にするため」としている。
　しかし、このような発明特定事項を削除する補正は、特許請求の範囲の減縮を目的とするものではなく、また、請求項の削除、誤記の訂正又は明りょうでない記載の釈明を目的とするものでもない。
　したがって、本件補正は、平成１８年法律第５５号による改正前特許法第１７条の２第４項第１号から第４号までに掲げる事項のいずれかを目的とするものではない。
　
３　むすび
　以上のとおりであるので、本件補正は、改正前特許法第１７条の２第４項の規定に違反するので、同法第１５９条第１項において読み替えて準用する同法第５３条第１項の規定により却下すべきものである。
　
第３　本願発明について
１　本願発明
　本件補正は、上記のとおり却下されたので、この出願の請求項１乃至２５に係る発明は、平成１８年１０月４日付けで補正された明細書及び図面の記載からみて、その特許請求の範囲の請求項１乃至２５に記載された事項により特定されるとおりのものであると認めるところ、請求項１に係る発明（以下「本願発明」という。）は、以下のとおりである。
　
「回転打ち抜き加工を用いて、印刷済みカードボード、カードボード、パッケージ、段ボール、紙、類似物などの基材を打ち抜くことによって、不用な屑部分と印刷済みの有用部とを作り出すための装置であって、
　回転式の第１加工ローラと、
　第１加工ローラと協働して第１加工ローラとの間に加工ギャップを形成する回転式の第２加工ローラと、
　加工ギャップの中に送られる方向に基材が挿入されるときに基材を加工するために、第１加工ローラ及び第２加工ローラの少なくとも一方に配設され、第１加工ローラ及び第２加工ローラの少なくとも一方と協働して加工ギャップ内の基材を打ち抜くことにより基材から有用部と屑部分を作り出す工具部と、
　第１加工ローラ及び第２加工ローラの少なくとも一方に配設され、印刷済みシートとしての基材をレジスタ制御式に搬送する少なくとも１つのグリッパであって、印刷済みの画像と後続の前記工具部による形状処理をレジスタ制御式に且つ精度良く重ね合わせられる該グリッパと、
　加工ギャップの端部に配置され、有用部を屑部分から分断・分離する分断・分離手段であって、パンチ済みのシート状基材としてパンチ済み製品又は中間のパンチ済み製品があり、少なくとも未パンチ基材、パンチ済みの有用部から分離された前記有用部、前記屑部分、又は前記中間のパンチ済み製品である基材を搬送することとを任意に含む、前記分断・分離手段と、
　屑部分搬送手段と協働して屑部分を収集する廃棄装置と、
　を含むことを特徴とする装置。」
　
　なお、請求項１には、「少なくとも一方と協同して」及び「屑部分搬送手段と協同して」と記載されているが、これらの「協同」は「協働」の誤記と認め、本願発明を上記のように認定した。
　
２　引用例記載事項
　原査定の拒絶の理由に引用されたこの出願の優先日前に頒布された刊行物である特公昭５０−２５１９４号公報（以下「引用例１」という。）及び実願昭５５−１０３７０５号（実開昭５７−２８８９９号）のマイクロフィルム（以下「引用例２」という。）には、以下のとおり記載されている。
　
(１)　引用例１
ア　４欄２０−３０行
「従つて、本発明の提起された具体例を代表するものとして、第１図は箱素材をそれから形成するためにその上に印刷された形像を持つているボール紙を切断及び折目付けのために切断及び折目付け装置１０を表示している。切断及び折目付け装置１０は材料を切断及び（或いは）折目付けする作用をして又密接して回転してそれらの間の挟み部を区劃している一対の円筒１１，１２を含んでいる。材料が円筒１１，１２によつて区劃された挟み部を通つて前進させられると、それは切断及び（或いは）折目付けされる。」
　
イ　５欄２０−２７行
「切断用山１６，１８は回転に際して円筒１１，１２の間に前進したシート材料の切断を行うために協力する。山１６，１８は第６図に最もよく示されているように互いに少しくオーバラツプした関係になつて（over1apping re1ationship）、シート材料に係合して且つ実質的な距離だけシート材料を通つて伸長しているがしかし接触はせず、そうして所謂材料の破壊切断を行う。」
　
ウ　６欄１６行−８欄２９行
「上で述べたように、本具体例に於ては協力する版１４，１５及び特に版によつて受けられているシート形成組子はシートが円筒１１，１２の中に前進させられるとシート材料を破壊切断するため及びシート材料を折目付けするために協力する。シート形成組子は特に、パターンをシートの中に切断するように版の上で配列され又示されている特殊の具体例に於いては箱素材に対するパターンを切断するように配列されている。提起された具体例に於いては、シートは印刷されたシートであつて又標号（label）等のような箱の上の予定の位置を取るべき印刷された形像をその上に持つている。このように円筒１１，１２の挟み部を通つて送られるシート材料は、シート材料の切断がシート材料の上に印刷された形像に関して適正な位置に於いて行われるように版１４，１５の上の切断用パターン及び折目付け用パターンに対して適正に対合せられねばならない。
　シート材料の上に印刷された形像が版１４，１５の上に突出している山のパターンと適正に係合されることを保証するために、装置１０は円筒１１，１２への送り出しの前にシートを対合するための、全体を２０で指定されている、シート対合機構を含んでいる。円筒１１，１２に送り出さるべきシート材料は適当のコンベア２２によつて送り板（feedboard）２３に前進させられる。シートは送り板２３の上で対合される。
　第２図に示された点線で指定されている見本の多数の印刷された形像Ａをその上に持つているシートはシートが円筒の挟み部の中に到着する時には形像Ａが円筒１１，１２の上のシート形成機素に関して適正に位置させられねばならないように対合位置にあるのが示されている。第２図に表示されている形像Ａの外形は切断用山１６，１８によつて切断されるべき線を包含している点線１８ａで示されて、一方実線１８ｂはシートが折目付け組子１７，１９によつて折目付けされるべきところの位置を示している。形像Ａの外側のシートの材料は無駄になる。シートの前縁に於ける形像Ａはシートの前縁Ｂから幾分間隔を持つていて、それによつて最終的には無駄になるところのシートの面積Ｄを与えることは注目されねばならない。
　シートの前縁Ｂの通路の中に動いてシートを停止してそれによつてシートの前縁を対合する第２図に概略的に示されている前方止め２５によつてシートは対合される。シートの適当な側縁対合は又シートとの対合に入つて側縁Ｃが側方位置（side　lays）又は止め２７に係合するように第２図に示されている矢の方向に送り板の横方向にシートを動かすところの１対のローラ２６によつて行われる。このようにしてシートは側方対合目的のために側方位置に対して対合され又前方止め２５に対して前方対合される。前方止め２５は軸３１と共にピボツト運動のために支えられているアーム組子３０の外方尖端を包含している。軸３１は回される時には止め２５をシートの運動通路から外に動かして又ローラ３５はシートの下側との係合に入つて前進用円筒３７に向ってシートの送りを行なうためにそれと協力するローラ３６に対してシートを押圧する。
　前進用円筒３７は、シートに係合してそれを円筒３７と共に運ぶつかみ機構３８を受けている。つかみ機構３８は任意の構造のものでもよいがしかし表示されているようにつかみ柱（gripper post）に関して可動であつて又それの前端に於ける区域Ｄの中のシートに係合する多数のつかみ指（gripper fingers）を包含していることが望ましい。つかみ機構３８は、一度それがシートをつかんでしまつたならば、シートの対合を維持して、円筒３７が回転すると、シートをシート前進用転送円筒４０に運ぶ。転送円筒４０も又円筒の中の切り落し（gap）４２の中につかみ機構４１を受けている。つかみ機構４１はそれが回転するとつかみ機構３８からシートを取るためと更にそれの対合を維持するためにつかみ機構３８と協力する。
　つかみ機構４１は、シートを取つた後で、円筒４０と共に回転して対合に尚維持されているシートの前縁を円筒１２に運ぶ。円筒１２はシートの前縁に係合して又円筒４０によつて受けられているつかみ機構４１からシートを取つてそのために次にシートは円筒１２と共に移動するようになる機構をその上に受けている。提起された具体例に於いては図面に示されているように、それの前縁に於いてシートに係合するため及びつかむための機構は円筒４０の上のつかみ機構４１からのシートを係合して且つ取つて又円筒１２が回転するとシートの前縁をそこで受けるところの機構５０を包含している。
　つかみ機構５０は円筒１２の中の切り落し（gap）５１の中に支えられていて又シートをつかむためにつかみ位置へ動き得て且つシートを外すために外し位置に動き得るところの多数のつかみ指５０を包含している。つかみ指５０ａはその上に印刷された形像Ａの前方のＢ区域の中のシートに係合してよく知られているようにしてカム機構（cam　means）によつてつかみ位置と外し位置との間で動かされる。第１図から容易に明らかであるように、つかみ機構５０は円筒４０及び１２が最も密接して回転するところの点に於いて、シートを取つて次にシートの前縁を円筒１１，１２によつて区劃された挟み部を通つて導入する。」
　
エ　１０欄１０−２６行
「上の記述から、装置１０の構造は、シートの対合が維持されてそのためその上に印刷された形像に関してシートがシート材料の上の要望する位置で要望するパターンに切断されることが出来て、又シートがそれの切断のために円筒１１，１２に送り出されつつある間にシートの対合が維持されるような構造であることが容易に明らかである。又、シートの前縁が一度円筒１１，１２の挟み部の中に前進させられたならば、つかみ５０の解除によつて外されて、次にシートは円筒によつて受けられている版の上の突出している機構によつて対合の中に維持され又円筒１１，１２の挟み部を通つて送られて、そのようにしてシートの適正な対合を総ての時に確実にし又要望するパターンとシート材料の上の印刷された形像に関してのパターンの位置を与えるためにシートが適正に切断されることを確実にしていることは明かである。」
　
　上記摘記事項より、引用例１には、次の事項が記載されていると認める。
「回転切断加工を用いて、印刷されたシート材料を切断することによって、印刷された形像（Ａ）の部分と形像（Ａ）の外側の部分とを作り出すための装置であって、
　回転する円筒（１１）と、
　円筒（１１）との間に挟み部を形成する回転する円筒（１２）と、
　挟み部の中に送られる方向にシート材料が挿入されるときにシート材料を加工するために、円筒（１１）及び円筒（１２）に配設され、協力して挟み部内のシート材料を切断することによりシート材料から形像（Ａ）の部分と形像（Ａ）の外側の部分を作り出す切断用山（１６，１８）と、
　円筒（１２）に配設され、印刷されたシート材料を搬送するつかみ機構（５０）であって、印刷済みの形像（Ａ）と後続の前記切断用山（１６，１８）による形状処理を適正な位置に合わせられる該つかみ機構（５０）と、
　を含む装置。」（以下「引用例１記載の発明」という。）
　
(２)　引用例２
ア　明細書１２頁１９行−１４頁１６行
「（２）給紙装置２により紙材Ａを送入する。
（３）紙材Ａが下側ドラム９ｂ周面のストツパー２０に当接して停止する。（第６図Ａ）
（４）紙材Ａが下側ドラム９ｂ周面の２個以上のマイクロスイツチ２１に当接すると（これで下側ドラム９ｂに対する紙材Ａの正しい位置が確保されたことになる。）シリンダ１２のピストンロツド１３が収縮してカム１０が第６図Ｂの矢印の方向に若干回動する。しかるときは、接触子１６がカム１０の山部１０′に乗上げるため、爪軸１４が若干回動し、各爪１８が第６図Ｂに示す如く紙材Ａの抜きかすＣ部を押えて固定する。
（５）続いて、ソレノイド４９のプランジヤ５１が収縮してレバー５０をストツパーカム４７から離脱し、クラツチ３０が入る。従つて、各ドラム９ａ、９ｂが回転を始める。
（６）各ドラム９ａ、９ｂが回転して上型２４ａと下型２４ｂとが相互にかみ合うと、紙材Ａは上型２４ａと下型２４ｂとによりそれぞれ下側ドラム９ｂと上側ドラム９ａとに押付けられるので、切込み２５に沿って製品Ｂと抜きかすＣとに分離される。製品Ｂは送り出しローラ２２、２３よりドラムの後方に送り出され、抜きかすＣは爪１８により押えられたまま下方に向かう。（第７図、第６図Ｃ)
（７）各ドラム９ａ、９ｂが更に回転してカム１０の接触子１６が該カム１０の山部１０′より降りたときは、爪軸１４が若干回動して爪１８を抜きかすＣより引離すため、抜きかすＣは下方に落下する（第６図Ｄ）
（８）各ドラム９ａ、９ｂが３６０°回転する前にシリンダ１２のピストンロツド１３が伸長してカム１０を元の位置に戻す。
（９）各ドラム９ａ、９ｂが３６０°回転したときは、リミツトスイツチ５２が作動し、前述の如く各ドラム９ａ、９ｂを停止する。
（１０）続いて、次の紙材Ａを送入し、上記（３）〜（９）を繰返す。」
　
イ　第６図（（Ｃ）乃至（Ｅ））
　上側ドラム（９ａ）と下側ドラム（９ｂ）との間に加工ギャップが形成され、加工ギャップの端部に送り出しローラ（２２）を配置すること。
　
　上記摘記事項、及び送り出しローラ（２２）は、製品（Ｂ）を抜きかす（Ｃ）から分離するものと解されることより、引用例２には、次の事項が記載されていると認める。
「上側ドラム（９ａ）と下側ドラム（９ｂ）とが協働して製品（Ｂ）と抜きかす（Ｃ）を作り出す装置において、
　上側ドラム（９ａ）と下側ドラム（９ｂ）との間に形成された加工ギャップの端部に、製品（Ｂ）を抜きかす（Ｃ）から分離する送り出しローラ（２２）を配置すること。」（以下「引用例２記載の技術的事項」という。）
　
３　対比
　本願発明と引用例１記載の発明とを対比すると、引用例１記載の発明の「印刷されたシート材料」は、本願発明の「基材」に相当しており、以下同様に、「印刷された形像の部分」は「印刷済みの有用部」に、「形像の外側の部分」は「不用な屑部分」に、「回転する円筒（１１）」は「回転式の第１加工ローラ」に、「円筒（１１）との間に挟み部を形成する回転する円筒（１２）」は「第１加工ローラと協働して第１加工ローラとの間に加工ギャップを形成する回転式の第２加工ローラ」に、「切断用山」は「工具部」に、「つかみ機構」は「グリッパ」に、「形像」は「画像」に、「適正な位置に合わせられる」は「精度良く重ね合わせられる」に、それぞれ相当していることが明らかである。
　また、引用例１記載の発明の「切断」と本願発明の「打ち抜き」とは、切断であることに限り一致している。
　
　以上のとおりであるので、両者は、次の「装置」で一致している。
「回転切断加工を用いて、基材を切断することによって、不用な屑部分と印刷済みの有用部とを作り出すための装置であって、
　回転式の第１加工ローラと、
　第１加工ローラと協働して第１加工ローラとの間に加工ギャップを形成する回転式の第２加工ローラと、
　加工ギャップの中に送られる方向に基材が挿入されるときに基材を加工するために、第１加工ローラ及び第２加工ローラに配設され、加工ギャップ内の基材を切断することにより基材から有用部と屑部分を作り出す工具部と、
　第２加工ローラに配設され、印刷済みシートとしての基材を搬送するグリッパであって、印刷済みの画像と後続の前記工具部による形状処理を精度良く重ね合わせられる該グリッパと、
　を含む装置。」
　
　そして、両者は、次の点で相違している。
(１)　相違点１
　本願発明では、切断が打ち抜きによるものであり、第１加工ローラ及び第２加工ローラの少なくとも一方と工具部とが協働して基材を打ち抜いているのに対し、引用例１記載の発明では、そのようなものではなく、工具部と工具部とが協力して基材を切断している点。
　
(２)　相違点２
　本願発明では、グリッパによる基材の搬送がレジスタ制御式であり、印刷済みの画像と後続の工具部による形状処理をレジスタ制御式に且つ精度良く重ね合わせられるのに対し、引用例１記載の発明では、そのような「レジスタ制御式」であるのか明らかではない点。
　
(３)　相違点３
　本願発明では、加工ギャップの端部に配置され、有用部を屑部分から分断・分離する分断・分離手段であって、パンチ済みのシート状基材としてパンチ済み製品又は中間のパンチ済み製品があり、少なくとも未パンチ基材、パンチ済みの有用部から分離された前記有用部、前記屑部分、又は前記中間のパンチ済み製品である基材を搬送することとを任意に含む、前記分断・分離手段を含んでいるのに対し、引用例１記載の発明では、そのような「分断・分離手段」を含んでいるものではない点。
　
(４)　相違点４
　本願発明では、屑部分搬送手段と協働して屑部分を収集する廃棄装置を含んでいるのに対し、引用例１記載の発明では、そのような廃棄装置を含んでいるものではない点。
　
４　相違点の検討
　上記相違点について、以下検討する。
(１)　相違点１について
　引用例１記載の発明におけるようなシート状の基材から有用部とその外側の屑部分を作り出すための切断の手段として、ローラと工具部とが協働する基材の打ち抜き加工は、例えば、原査定の拒絶の理由に引用された実願平４−１５４０１号（実開平５−７４８００号）のＣＤ−ＲＯＭの図３にアンビルシリンダ（２０）と打抜き刃（１２）とが協働して製品を打ち抜くことが記載されているように、従来周知であるので、引用例１記載の発明における切断を、第１加工ローラ及び第２加工ローラの少なくとも一方と工具部とが協働する基材の打ち抜きに変更することに格別の困難性はない。
　
(２)　相違点２について
　レジスタ制御式については、本願明細書の段落０００８、００１５、００２０等の記載からみて、精度の良い位置決めのための制御であると解される。
　被搬送物をレジスタ制御式に搬送することは、カラー印刷における位置決めマークにみられるごとく、例示するまでもなく従来周知である。
　引用例１記載の発明のような印刷分野においては、正確な位置決めが必要であることは明らかである。
　よって、グリッパによる基材の搬送をレジスタ制御式として、印刷済みの画像と後続の工具部による形状処理を、レジスタ制御式に且つ精度良く重ね合わせられるものとすることに格別の困難性はない。
　請求人は、平成１８年１０月４日の意見書で、引用例１記載のものが、レジスタ制御式でない旨主張するが、上記のとおり、周知技術の適用にすぎない。
　
(３)　相違点３について
　上記引用例２には、上記２の(２)のとおりの技術的事項が記載されており、引用例２記載の技術的事項の「上側ドラム」は、本願発明の「第１加工ローラ」に相当し、以下同様に、「下側ドラム」は「第２加工ローラ」に、「製品」は「有用部」に、「抜きかす」は「屑部分」に、「ローラ」は「分断・分離手段」にそれぞれ相当している。
　よって、引用例２には、「第１加工ローラと第２加工ローラとが協働し有用部と屑部分を作り出す装置において、第１加工ローラと第２加工ローラとの間に形成された加工ギャップの端部に、有用部を屑部分から分断・分離する分断・分離手段を配置すること」が記載されていることになる。
　引用例２記載の技術的事項と引用例１記載の発明とは、第１加工ローラと第２加工ローラとが協働して有用部と屑部分を作り出す装置であり、技術分野が共通している。
　また、第１加工ローラと第２加工ローラとが協働して加工ギャップ内の材料を切断することにより材料から有用部と屑部分を作り出す装置において、加工ギャップの端部で有用部を屑部分から分離することは、例えば、特開平５−４１９８号公報の段落０００８〜０００９、特開平１１−１８８８０４号公報の段落００４５〜００４７等に記載されているように、従来周知である。
　したがって、引用例１記載の発明において、加工ギャップの端部で有用部を屑部分から分離することは、必要に応じて適宜なし得る程度の事項にすぎず、その加工ギャップの端部で有用部を屑部分から分離するための手段として、引用例２記載の技術的事項を採用して、有用部を屑部分から分断・分離し、有用部を搬送する分断・分離手段を加工ギャップの端部に配置することに格別の困難性はなく、そして、加工ギャップの端部に配置され、有用部を屑部分から分断・分離する分断・分離手段であって、パンチ済みのシート状基材としてパンチ済み製品又は中間のパンチ済み製品があり、少なくとも未パンチ基材、パンチ済みの有用部から分離された前記有用部、前記屑部分、又は前記中間のパンチ済み製品である基材を搬送することとを任意に含む、前記分断・分離手段を含むものとすることにも格別の困難性はない。
　
(４)　相違点４について
　上記相違点３についてで検討したように、屑部分を分離するのであるから、分離された屑部分を搬送し収集することは、当然に必要なことであり、引用例１記載の発明を、屑部分搬送手段と協働して屑部分を収集する廃棄装置を含むものとすることに格別の困難性はない。
　
(５)　本願発明の作用効果について
　本願発明の奏する作用効果は、引用例１記載の発明、引用例２記載の技術的事項、及び上記従来周知の各事項より、当業者が予測できる程度のものであって、格別のものではない。
　
５　むすび
　以上のとおり、本願発明は、引用例１記載の発明、引用例２記載の技術的事項、及び上記従来周知の各事項に基づいて当業者が容易に発明をすることができたものであり、特許法第２９条第２項の規定により特許を受けることができないので、この出願の請求項２乃至２５に係る発明について判断するまでもなく、この出願は拒絶すべきものである。
　よって、結論のとおり審決する。